(57)【要約】【課題】  本発明は汚れを粒状物で、汚れの端部を浮き上がらせ、その浮き上がった部分をゴムラテックスで剥し取ることで、水だけでも汚れを効率よく落とすことができるとともに、洗浄剤を使用した場合でも泡立ちがよく、洗浄剤を十分に保持して脱落による無駄な洗浄剤の使用を防止して、効率よく洗浄剤を使用することができるクリーナーを得るにある。【解決手段】  スポンジと、このスポンジの一側面に貼り合わされた洗浄剤を保持することができる発泡樹脂材製の洗浄剤保持層と、この洗浄剤保持層の表面に貼り合わされた粒状物入りゴムラテックス混合体不織布とでクリーナーを構成している。【選択図】  図４
2008144030.tif 000002
【特許請求の範囲】
【請求項１】
スポンジと、このスポンジの一側面に貼り合わされた洗浄剤を保持することができる発泡樹脂材製の洗浄剤保持層と、この洗浄剤保持層の表面に貼り合わされた粒状物入りゴムラテックス混合体不織布とからなることを特徴とするクリーナー。
【請求項２】
ポリウレタン発泡樹脂材で他側面が波形状に形成されたスポンジと、このスポンジの一側面に無溶剤製のホットメルトや水溶性ポリウレタンで貼り合わされた洗浄剤を保持することができる微小孔のポリエステル発泡樹脂材製の洗浄剤保持層と、この洗浄剤保持層の表面に無溶剤製のホットメルトや水溶性ポリウレタンで貼り合わされた球状の粒状物入りゴムラテックス混合体不織布あるいは表面に球状の粒状物入りゴムラテックス混合体が塗布された不織布とからなることを特徴とするクリーナー。
【請求項３】
スポンジと、このスポンジの一側面に貼り合わされた洗浄剤を保持することができる発泡樹脂材製の洗浄剤保持層と、この洗浄剤保持層の表面に貼り合わされた粒状物入りゴムラテックス混合体不織布と、前記スポンジの他側面に貼り合わされた粒状物入りゴムラテックス混合体不織布とからなることを特徴とするクリーナー。
【発明の詳細な説明】
【技術分野】
【０００１】
本発明は清掃、洗浄に使用するスポンジを用いた家庭用や業務用のクリーナーに関する。
【背景技術】
【０００２】
従来の家庭用たわしは砥粒を構成繊維表面に付着させた不織布マットの片面に研磨砥粒、樹脂粒、金属粒またはガラスビーズ等の粒状物を、少なくとも１種含有する発泡樹脂液を塗布、発泡させて不織布マット、発泡樹脂充填繊維層、発泡樹脂層を順次積層して構成していた。
【０００３】
このため、メラミン製、ガラス製、ステンレス製およびプラスチック製等の表面の光沢を重視する製品の清掃、洗浄に用いると、引っかき傷をつけてしまうことが起こり、その傷が光沢面の美観を損ねたり、傷に汚れが溜まることで変色を起こしたり、有機物を拭い去ることが不完全なために有害バクテリアの発生を許す結果を招くという欠点があった。
また、逆に引っかき傷をつけないために選択した研磨剤は研磨効果を十分に発揮できず、結果として、場合によっては汚れを落としきれないという欠点があるとともに、洗浄剤の保持能力が低く、洗浄剤が脱落したり、泡立ちが悪いという欠点があった。
【特許文献１】実開昭５６−７９２７０
【発明の開示】
【発明が解決しようとする課題】
【０００４】
本発明は汚れを粒状物で、汚れの端部を浮き上がらせ、その浮き上がった部分をゴムラテックスで剥し取ることで、水だけでも汚れを効率よく落とすことができるとともに、洗浄剤を使用した場合でも泡立ちがよく、洗浄剤を十分に保持して脱落による無駄な洗浄剤の使用を防止して、効率よく洗浄剤を使用することができるクリーナーを提供することを目的としている。
【０００５】
また本発明はメラミン製、ガラス製、ステンレス製およびプラスチック製等の表面の光沢を重視する製品の清掃、洗浄時に引っかき傷をつけることなく、汚れを効率よく落とすことができるクリーナーを提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００７】
上記目的を達成するために、本発明はスポンジと、このスポンジの一側面に貼り合わされた洗浄剤を保持することができる発泡樹脂材製の洗浄剤保持層と、この洗浄剤保持層の表面に貼り合わされた粒状物入りゴムラテックス混合体不織布とでクリーナーを構成している。
【０００８】
本発明はポリウレタン発泡樹脂材で他側面が波形状に形成されたスポンジと、このスポンジの一側面に無溶剤製のホットメルトや水溶性ポリウレタンで貼り合わされた洗浄剤を保持することができる微小孔のポリエステル発泡樹脂材製の洗浄剤保持層と、この洗浄剤保持層の表面に無溶剤製のホットメルトや水溶性ポリウレタンで貼り合わされた球状の粒状物入りゴムラテックス混合体不織布あるいは表面に球状の粒状物入りゴムラテックス混合体が塗布された不織布とでクリーナーを構成している。
【０００９】
本発明はスポンジと、このスポンジの一側面に貼り合わされた洗浄剤を保持することができる発泡樹脂材製の洗浄剤保持層と、この洗浄剤保持層の表面に貼り合わされた粒状物入りゴムラテックス混合体不織布と、前記スポンジの他側面に貼り合わされた粒状物入りゴムラテックス混合体不織布とでクリーナーを構成している。
【発明の効果】
【００１０】
以上の説明から明らかなように、本発明にあっては次に列挙する効果が得られる。
【００１１】
（１）スポンジと、このスポンジの一側面に貼り合わされた洗浄剤を保持することができる発泡樹脂材製の洗浄剤保持層と、この洗浄剤保持層の表面に貼り合わされた粒状物入りゴムラテックス混合体不織布とで構成されているので、粒状物入りゴムラテックス混合体不織布によって、汚れの端部を粒状物で浮き上がらせ、その浮き上がった汚れの端部をゴムラテックスで剥し取ることができる。  
したがって、効率よく汚れを落とすことができる。
【００１２】
（２）前記（１）によって、洗浄剤を洗浄剤保持層によって保持することができるとともに、泡立ちをよくすることができる。
したがって、ゴムラテックス混合体不織布やスポンジに付着させた洗浄剤が洗浄剤保持層に吸着され、従来のようにたれ落ちて使用できなくなるのを確実に防止して、洗浄剤を経済的に使用することができる。
【００１３】
（３）前記（１）によって、粒状物入りゴムラテックス混合体不織布によって洗浄剤を使用することなく、水だけでも汚れを落とすことができる。
【００１４】
（４）請求項2も前記（１）〜（３）と同様な効果が得られるとともに、球状の粒状物入りゴムラテックス混合体不織布を用いるので、メラミン製、ガラス製、ステンレス製およびプラスチック製等の表面の光沢を重視する製品を、清掃、洗浄時に使用しても引っかき傷をつけることなく、効率よく汚れを落とすことができる。
【００１５】
（５）請求項２はスポンジ、洗浄剤保持層および球状の粒状物入りゴムラテックス混合体不織布あるいは球状の粒状物入りゴムラテックス混合体が塗布された不織布を無溶剤製のホットメルトや水溶性ポリウレタンを用いて貼り合わせているので、使用中に洗浄剤等によって貼り合わせ部が剥れたりする不具合を確実に防止することができる。
【００１６】
（６）請求項３も前記（１）〜（３）と同様な効果が得られる。
【発明を実施するための最良の形態】
【００１７】
以下、図面に示す本発明を実施するための最良の形態により、本発明を詳細に説明する。
【００１８】
図１ないし図４に示す本発明を実施するための最良の第１の形態において、１は縦寸法が１１０ｍｍ、横寸法が７０ｍｍ、高さ寸法が４０ｍｍ程度で、長辺側の中央部が凹部となる円弧状に形成された長方体形状の本発明のクリーナーで、このクリーナー１は一般的に使用されているポリウレタン発泡樹脂材で、他側面が波形状に形成された高さ寸法が２０ｍｍ程度のスポンジ２と、このスポンジ２の一側面に無溶剤製のホットメルトや水溶性ポリウレタンで貼り合わされた洗浄剤を保持することができる微小孔のポリエステル発泡樹脂材製の高さ寸法が１５ｍｍ程度の洗浄剤保持層３と、この洗浄剤保持層３の表面に無溶剤製のホットメルトや水溶性ポリウレタンで貼り合わされた高さ寸法が５ｍｍ程度の球状の粒状物入りゴムラテックス混合体不織布４とで構成されている。
【００１９】
前記球状の粒状物入りゴムラテックス混合体不織布４はポリエステル、ナイロン、アクリル等の化学繊維を不織布５に仕上げ、ゴムラテックス混合体６に球状のガラスビーズ、樹脂、金属、竹炭、セラミックス等で球状に形成された粒状物７を混合させた液体に前記不織布５を漬け、該不織布５にゴムラテックス混合体６と球状の粒状物７を付着させて形成したもので、不織布５の内部にまで球状の粒状物入りゴムラテックス混合体が入り込むため、表面の粒状物が脱落しても内部の粒状物で汚れ落としの機能低下を防止できる。
【００２０】
上記構成のクリーナー１は水に漬けると洗浄剤保持層３に水を保持するので、水道の蛇口に付いた軽い水垢汚れは球状の粒状物入りゴムラテックス混合体不織布４部分でこすることにより、図４に示すように球状の粒状物７で汚れの端部を浮き上がらせ、その浮き上がった汚れの端部をゴムラテックス混合体６で剥して効率よく汚れを取り除くことができる。
洗浄剤を用いて清掃、洗浄する場合には、スポンジ２あるいは球状の粒状物入りゴムラテックス混合体不織布４より洗浄剤を付着させることにより、洗浄剤保持層３に洗浄剤が保持されるため、たれ落ちたりすることなく経済的に洗浄剤を使用することができるとともに、洗浄剤保持層３によって泡立ちをよくすることができる。
[発明を実施するための異なる形態]
【００２１】
次に、図５ないし図１３に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２２】
図５および図６に示す本発明を実施するための第２の形態において、前記本発明を実施するための最良の第１の形態と主に異なる点は、不織布５の表面に球状の粒状物７入りゴムラテックス混合体６を塗布したものを用いた点で、このような不織布５の表面に球状の粒状物７入りゴムラテックス混合体６を塗布したものを用いたクリーナー１Ａにしても、前記本発明を実施するための最良の第１の形態と同様な作用効果が得られる。
【００２３】
図７および図８に示す本発明を実施するための第３の形態において、前記本発明を実施するための最良の第１の形態と主に異なる点は、他側面が平坦面に形成されたスポンジ２Ａを用いた点で、このようなスポンジ２Ａを用いて構成したクリーナー１Ｂにしても、前記本発明を実施するための最良の第１の形態と同様な作用効果が得られる。
【００２４】
図９ないし図１１に示す本発明を実施するための第４の形態において、前記本発明を実施するための最良の第１の形態と主に異なる点は、球体以外の粒状物７Ａを用いた粒状物入りゴムラテックス混合体不織布４Ａを用いた点で、このような粒状物入りゴムラテックス混合体不織布４Ａを用いて構成したクリーナー１Ｃ  にすることにより、頑固な汚れを効率よく除去することができる。
【００２５】
図１２および図１３に示す本発明を実施するための第５の形態において、前記本発明を実施するための第３の形態と主に異なる点は、スポンジ２Ａの他側面に球状の粒状物入りゴムラテックス混合体不織布４を張り合わせた点で、このように構成したクリーナー１Ｄにしてもよい。
なお、本発明を実施する形態では両面に球状の粒状物入りゴムラテックス混合体不織布４、４や球体以外の粒状物入りゴムラテックス混合体不織布４Ａ、４Ａを張り合わせたり、一方に球状の粒状物入りゴムラテックス混合体不織布４を、他方に球体以外の粒状物を用いた粒状物入りゴムラテックス混合体不織布４Ａを張り合わせたクリーナー１Ｄにしてもよい。
【産業上の利用可能性】
【００２６】
本発明はスポンジを用いたクリーナーを製造する産業で利用される。
【図面の簡単な説明】
【００２７】
【図１】本発明を実施するための最良の第１の形態の斜視図。
【図２】図１の２−２線に沿う拡大断面図。
【図３】図２のＡ部拡大図。
【図４】本発明を実施するための最良の第１の形態の汚れを落とすメカニズムの説明図。
【図５】本発明を実施するための第２の形態の斜視図。
【図６】図５の６−６線に沿う拡大断面図。
【図７】本発明を実施するための第３の形態の斜視図。
【図８】図７の８−８線に沿う拡大断面図。
【図９】本発明を実施するための第４の形態の斜視図。
【図１０】図９の１０−１０線に沿う拡大断面図。
【図１１】図１０のＢ部拡大図。
【図１２】本発明を実施するための第５の形態の斜視図。
【図１３】図１２の１３−１３線に沿う拡大断面図。
【符号の説明】
【００２８】
１、１Ａ、１Ｂ、１Ｃ、１Ｄ：クリーナー、
２、２Ａ：スポンジ            、                    ３：洗浄剤保持層、
４、４Ａ：粒状物入りゴムラテックス混合体不織布、                                                
５：不織布、            
６：ゴムラテックス混合体エマルジョン、
７、７Ａ：粒状物。
【図１】
2008144030.tif 000003
【図２】
2008144030.tif 000004
【図３】
2008144030.tif 000005
【図４】
2008144030.tif 000006
【図５】
2008144030.tif 000007
【図６】
2008144030.tif 000008
【図７】
2008144030.tif 000009
【図８】
2008144030.tif 000010
【図９】
2008144030.tif 000011
【図１０】
2008144030.tif 000012
【図１１】
2008144030.tif 000013
【図１２】
2008144030.tif 000014
【図１３】
2008144030.tif 000015